(57)【要約】      （修正有）【課題】運転条件や潤滑条件により変化する歯車損傷時期を、精度よく予測する歯車損傷予測装置を提供する。【解決手段】歯車対を収納した歯車箱３と、前記歯車箱３に潤滑油を供給する給油ノズル８と、前記給油ノズル８に供給される潤滑油の給油温度を計測する給油温度センサ９と、前記給油ノズル８に供給される潤滑油の流量を計測する流量センサ１０と、前記歯車対のかみ合い後の潤滑油の排油温度を計測する排油温度センサ１１と、を有する歯車装置の歯面損傷時期を予測する歯車損傷予測装置２０であって、前記給油温度、前記流量、および、前記排油温度を取得する入力部と、前記入力部が取得した前記排油温度と前記給油温度の差と前記流量から前記歯車対の接触面に生じる摩擦エネルギを計算し、前記摩擦エネルギを積分することで累積摩擦エネルギを計算する積分演算部と、を具備するものとした。【選択図】図１
2020200892.tif 000002
【特許請求の範囲】
【請求項１】
歯車対を収納した歯車箱と、
前記歯車箱に潤滑油を供給する給油ノズルと、
前記給油ノズルに供給される潤滑油の給油温度を計測する給油温度センサと、
前記給油ノズルに供給される潤滑油の流量を計測する流量センサと、
前記歯車対のかみ合い後の潤滑油の排油温度を計測する排油温度センサと、
を有する歯車装置の歯面損傷時期を予測する歯車損傷予測装置であって、
前記給油温度、前記流量、および、前記排油温度を取得する入力部と、
前記入力部が取得した前記排油温度と前記給油温度の差と前記流量から前記歯車対の接触面に生じる摩擦エネルギを計算し、前記摩擦エネルギを積分することで累積摩擦エネルギを計算する積分演算部と、
を具備することを特徴とする歯車損傷予測装置。
【請求項２】
歯車対を収納した歯車箱と、
前記歯車箱に潤滑油を供給する給油ノズルと、
前記給油ノズルに供給される潤滑油の給油温度を計測する給油温度センサと、
前記給油ノズルに供給される潤滑油の圧力を計測する圧力センサと、
前記歯車対のかみ合い後の潤滑油の排油温度を計測する排油温度センサと、
を有する歯車装置の歯面損傷時期を予測する歯車損傷予測装置であって、
前記給油温度、前記圧力、および、前記排油温度を取得する入力部と、
前記入力部が取得した前記圧力に基づいて前記給油ノズルに供給される潤滑油の流量を計算し、前記入力部が取得した前記排油温度と前記給油温度の差と前記流量から前記歯車対の接触面に生じる摩擦エネルギを計算し、前記摩擦エネルギを積分することで累積摩擦エネルギを計算する積分演算部と、
を具備することを特徴とする歯車損傷予測装置。
【請求項３】
請求項１または請求項２に記載の歯車損傷予測装置において、
前記歯車装置は、
前記歯車箱に第一歯車対と第二歯車対を収納し、
前記第一歯車対のかみ合い後の潤滑油の第一排油温度を計測する第一排油温度センサと、
前記第二歯車対のかみ合い後の潤滑油の第二排油温度を計測する第二排油温度センサと、
を有するものであり、
前記入力部には、さらに、前記第一排油温度、第二排油温度、および、運転情報を取得する入力部と、
前記積分演算部は、前記入力部が取得した前記運転情報に基づいて、かみ合っている歯車対を特定するとともに、前記第一排油温度または前記第二排油温度と前記給油温度の差と前記流量から前記第一歯車対または前記第二歯車対の接触面における摩擦エネルギを計算し、前記摩擦エネルギを積分することで前記第一歯車対または第二歯車対の接触面に生じる累積摩擦エネルギを計算することを特徴とする歯車損傷予測装置。
【請求項４】
請求項１または請求項２に記載の歯車損傷予測装置において、
前記歯車装置には、さらに、
前記歯車対のかみ合い部から落下した潤滑油を回収する第一油槽と、
前記歯車対のかみ合い部以外から落下した潤滑油を回収する第二油槽と、
が設けられており、
前記入力部には、前記排油温度センサが前記第一油槽内の潤滑油から計測した前記排油温度が入力されることを特徴とする歯車損傷予測装置。
【請求項５】
請求項１から請求項４の何れか一項に記載の歯車損傷予測装置において、
さらに、前記摩擦エネルギの増加傾向に基づき、前記累積摩擦エネルギが所定の閾値に到達する歯面損傷時期を推定する比較部を具備することを特徴とする歯車損傷予測装置。
【請求項６】
請求項５に記載の歯車損傷予測装置とサーバを、ネットワークを介して接続した歯車損傷予測システムであって、
前記歯車損傷予測装置が求めた、累積摩擦エネルギまたは歯面損傷時期を前記サーバへ送信することを特徴とする歯車損傷予測システム。
【請求項７】
歯車対を収納した歯車箱と、
前記歯車箱に潤滑油を供給する給油ノズルと、
を有する歯車装置の歯車損傷時期を予測する歯車損傷予測方法であって
前記給油ノズルに供給される前記潤滑油の給油温度を計測し、
前記給油ノズルに供給される前記潤滑油の流量を計測し、
前記歯車対のかみ合い後の前記潤滑油の排油温度を計測し、
前記給油温度と前記排油温度の差と前記流量から前記歯車対の接触面に生じる摩擦エネルギを計算し、
前記摩擦エネルギを積分することで累積摩擦エネルギを推定し、
前記摩擦エネルギの増加傾向に基づき、前記累積摩擦エネルギが所定の閾値に到達する歯面損傷時期を推定することを特徴とする歯車損傷予測方法。
【発明の詳細な説明】
【技術分野】
【０００１】
本発明は、歯面の損傷時期を予測する、歯車損傷予測装置に関する。
【背景技術】
【０００２】
船舶や産業用途で用いられる歯車装置は、機械システムの重要部に利用されることが多い。歯車装置は、歯車対のかみ合いにより、回転動力を伝達する。このとき、歯車対のかみ合い部の接触面（歯面）には、高い接触面圧がかかり、繰り返し応力により疲労損傷に至る。この損傷は、装置の使用状態や材料組成の偏りなどにより、発生時期にはばらつきがある。そこで、歯面の損傷時期を予測することができれば、適切なタイミングでメンテナンスを実施し、システムのダウンタイムを低減できる。
【０００３】
これに対して、非特許文献１の強度評価法では、金属試験片を用いた疲労試験結果から、「摩擦仕事の累積値を考えると、試験範囲内ですべり率によらず最大約１．６倍のばらつきでマイクロピッチング限界を評価できる」としている。すなわち、接触部の摩擦仕事の累積値により、材料表面の損傷時期を整理できるとしている。
【０００４】
一方、特許文献１のブレーキ装置では、「ブレーキケース内には、モータ軸よりも半径方向の外側に、複数の回転側ブレーキ板と複数の非回転側ブレーキ板とを、交互に重なり合う状態で配置する。ブレーキケースの潤滑油流出口側には、該潤滑油流出口側から流出する潤滑油の油温を検出する油温センサを設ける。コントローラは、油温センサにより検出された油温に基づいて、回転側ブレーキ板と非回転側ブレーキ板との摩擦係合部の損傷を、予め設定した所定時間内における油温のピーク値とその所定時間内の油温の積算値とを用いて判定する。」としている。すなわち、給排油の温度を計測することで、ブレーキ板の接触部の損傷を検知するとしている。
【先行技術文献】
【特許文献】
【０００５】
【特許文献１】特開２０１４−１７２４２３号公報
【非特許文献】
【０００６】
【非特許文献１】平野正博、外３名、「摩擦仕事に基づくマイクロピッチング強度評価法」、トライボロジー会議２０１８春  東京、日本トライボロジー学会、２０１８年５月、Ａ３８
【発明の概要】
【発明が解決しようとする課題】
【０００７】
歯車損傷時期はさまざまな条件により変化するため、歯車装置の使用時間のみから損傷時期を予測することは難しい。この条件とは、具体的には、トルクや回転速度といった運転条件、潤滑油温度や給油流量といった潤滑条件、歯車の材質や表面処理方法といった材料条件などである。
【０００８】
非特許文献１では、接触部の摩擦エネルギの累積値がある一定の値になったときに、金属片の接触疲労損傷が発生すると述べられている。しかし、この摩擦エネルギは、接触応力や接触幅などから計算されるとしており、それらを実機にて計測することは困難である。
【０００９】
また、特許文献１のブレーキ装置では、ブレーキの損傷を検知するため、油温の変化を計測しているが、ブレーキ装置は発熱箇所がブレーキに限定される構造であるため、排油口後流に設けた油温センサを用いてもブレーキの損傷を正確に判定できるのに対し、歯車箱内に複数の発熱箇所が存在する歯車装置を監視対象とする場合には、軸受など他の機械要素の摩擦エネルギの混入があるため、特許文献１のように排油口後流に設けた油温センサの配置では、歯面の損傷に関与する摩擦エネルギのみを測定することができないという問題があった。
【００１０】
そこで、本発明では、歯面の摩擦エネルギが歯面の損傷に関与するだけでなく、歯車のかみ合い部において油温を上昇させることに着目し、かみ合い部前後の油温の変化を計測し、これに基づいて歯面で発生する累積摩擦エネルギを求め、その推移から損傷時期を精度よく予測できる歯車損傷予測装置を提供することを目的とする。
【課題を解決するための手段】
【００１１】
上記課題を解決するために、代表的な本発明の歯車損傷予測装置の一つは、歯車対を収納した歯車箱と、前記歯車箱に潤滑油を供給する給油ノズルと、前記給油ノズルに供給される潤滑油の給油温度を計測する給油温度センサと、前記給油ノズルに供給される潤滑油の流量を計測する流量センサと、前記歯車対のかみ合い後の潤滑油の排油温度を計測する排油温度センサと、を有する歯車装置の歯面損傷時期を予測する歯車損傷予測装置であって、前記給油温度、前記流量、および、前記排油温度を取得する入力部と、前記入力部が取得した前記排油温度と前記給油温度の差と前記流量から前記歯車対の接触面に生じる摩擦エネルギを計算し、前記摩擦エネルギを積分することで累積摩擦エネルギを計算する積分演算部と、を具備するものとした。
【発明の効果】
【００１２】
本発明の歯車損傷予測装置によれば、運転条件や潤滑条件により変化する歯車損傷時期を、精度よく予測することができる。
上記した以外の課題、構成及び効果は、以下の実施形態の説明により明らかにされる。
【図面の簡単な説明】
【００１３】
【図１】実施例１の歯車損傷予測装置と歯車装置を示す概念図。
【図２】実施例１の歯車損傷予測装置の機能ブロック図。
【図３】実施例２の歯車損傷予測装置と歯車装置を示す概念図。
【図４】実施例３の歯車損傷予測装置と歯車装置を示す概念図。
【図５】実施例３の歯車損傷予測装置の処理手順を示すフローチャート。
【図６】実施例４の歯車損傷予測装置と歯車装置を示す概念図。
【図７】実施例５の歯車損傷予測システムを示す概念図。
【発明を実施するための形態】
【００１４】
以下、本発明の歯車損傷予測装置、歯車損傷予測システム、および、歯車損傷予測方法の実施例を、図面を用いて説明する。
【実施例１】
【００１５】
本発明の実施例１の歯車損傷予測装置２０と、その監視対象である歯車装置１Ａを、図１、図２に沿って説明する。
【００１６】
図１は、歯車装置１Ａの概略構成と、歯車装置１Ａで計測され歯車損傷予測装置２０に送信される計測値を示す概念図である。ここに示すように、歯車装置１Ａは、歯車箱３内に収納した、歯車２ａと歯車２ｂがかみ合いながら回転する装置であり、両歯車のかみ合い部の接触面（歯面）には、給油ノズル８から潤滑油が供給されている。かみ合い部から落下した潤滑油は、油槽４で回収され、その後、ポンプ６により汲み上げられる。汲み上げられた油中の不純物はフィルタ５により除去された後、流量調整バルブ７により流量調整され、給油ノズル８を経由して再度、かみ合い部へと供給される。なお、フィルタ５の設置位置は、ポンプ６の上流でも下流でもよい。
【００１７】
このとき、両歯車のかみ合いの摩擦エネルギにより、かみ合い部を通過した潤滑油の温度は上昇する。そこで、かみ合い部を潤滑油が通過した際の温度上昇を計測することにより、歯車の歯面で生じた摩擦エネルギを推定することができる。具体的には、給油ノズル８の上流配管内に設置した給油温度センサ９により、歯車かみ合い部へ供給される潤滑油の温度（給油温度Ｔ１）を計測し、歯車のかみ合い部直下に設置した排油温度センサ１１により、かみ合い後の潤滑油の温度（排油温度Ｔ２）を計測する。なお、図１では、かみ合い部直下に油受け１２を設け、ここに一時的に蓄えた排油の油温を排油温度センサ１１で測定することで、できるだけかみ合い直後の油温を計測できるようにしているが、かみ合い部から油槽４に落下する排油の温度を排油温度センサ１１で直接計測してもよい。また、流量センサ１０により、かみ合い部に供給されている潤滑油の単位時間当たりの流量ｑを計測する。これらの計測値は、歯車箱３の外部に設置された歯車損傷予測装置２０へと入力される。
【００１８】
図２は、歯車損傷予測装置２０の機能ブロック図である。ここに示すように、歯車損傷予測装置２０は、入力部２１、記憶部２２、積分演算部２３、比較部２４、報知部２５を有する。なお、歯車損傷予測装置２０は、実際には、ＣＰＵ等の演算装置、半導体メモリ等の主記憶装置、ハードディスク等の補助記憶装置、通信装置、液晶モニタなどのハードウェアを備えたパソコン等の計算機である。そして、補助記憶装置に記録されたデータベースを参照しながら、主記憶装置にロードされたプログラムを演算装置が実行することで、後述する各機能を実現するが、以下では、このような計算機分野での周知技術を適宜省略しながら説明する。
【００１９】
入力部２１は、入力された、給油温度Ｔ１、排油温度Ｔ２、単位時間当たりの流量ｑの各計測値を処理するとともに、必要に応じて記憶部２２や積分演算部２３に出力する。
【００２０】
記憶部２２には、プログラムや計測値や演算結果、および、損傷が発生する際の累積摩擦エネルギの閾値が格納されている。
【００２１】
積分演算部２３は、各計測値に基づいて単位時間当たりの摩擦エネルギｅを計算し、これを時間積分することで累積摩擦エネルギＥを計算する。具体的には、式１にて摩擦エネルギｅを計算し、式２にて累積摩擦エネルギＥを計算する。
【００２２】
【数１】
2020200892.tif 000003
【００２３】
【数２】
2020200892.tif 000004
【００２４】
ここで、ｃは潤滑油の単位体積当たりの熱容量であり、使用中の潤滑油の種類に応じた値を記憶部２２から取得する。
【００２５】
比較部２４は、計算された累積摩擦エネルギＥと、予め定めた閾値Ｅ０を比較し、歯車損傷時期を予測する。具体的には、これまでの累積摩擦エネルギＥの推移から、線形近似などの公知の手法にて外挿することで、累積摩擦エネルギＥが閾値Ｅ０に到達する歯面損傷時期ＬＨを推定する。
【００２６】
報知部２５は、積分演算部２３で計算された現時点の累積摩擦エネルギＥや、比較部２４で推定された歯面損傷時期ＬＨを、歯車装置１Ａのオペレータや保守員に報知する。なお、報知部２５での報知方法は、液晶モニタや警告ランプなどに、累積摩擦エネルギＥや歯面損傷時期ＬＨを表示する方法であっても良いし、オペレータ等が所持する端末にそれらの情報を表示させてもよい。また、累積損傷エネルギＥのトレンドを外挿することで、歯面損傷時期を予測してもよいし、または、所定の閾値を超えたら警告を出し、損傷判断を報知してもよい。
【００２７】
以上で説明したように、本実施例によれば、給油温度センサ９、排油温度センサ１１、流量センサ１０の各計測値を用いて、歯車対の歯面の損傷時期を精度よく予測することができる。これにより、歯車装置１Ａのメンテナンス時期の適正化や、損傷によるダウンタイムの削減を実現でき、装置稼働率の向上が期待される。
【００２８】
なお、図１では、給油ノズル８から潤滑油を供給する歯車装置１Ａを例示したが、実施例１の歯車装置１Ａは、潤滑油を直接歯車に拭きかけ、歯車を強制冷却する構造を有するものであれば、他の構造のものであっても良い。
【実施例２】
【００２９】
以下、本発明の実施例２の歯車損傷予測装置２０と、その監視対象である歯車装置１Ｂを、図３に沿って説明する。なお、実施例１との共通点は、重複説明を省略する。
【００３０】
歯車装置のなかには、流量センサ１０を搭載しない代わりに、給油ノズル８に向かう配管内の潤滑油の圧力Ｐを計測する圧力センサ１３を搭載したものがある。そこで、本実施例では、潤滑油の流量ｑを直接計測できない場合であっても、圧力センサ１３が計測した圧力Ｐを用いて潤滑油の流量ｑを推測し、推測した流量ｑ（以下、「推定流量ｑ１」と称する）を用いて、歯車の損傷時期を予測する。そのため、本実施例の歯車損傷予測装置２０では、まず、式３により、推定流量ｑ１を求める。
【００３１】
【数３】
2020200892.tif 000005
【００３２】
ここで、Ａは給油ノズル８の形状や表面積に依存する固有値であり、ρは潤滑油の粘度である。粘度ρは、潤滑油の温度に依存するので、給油温度Ｔ１と粘度ρの関係を纏めたデータシートにより求めることができる。このデータシートと固有値Ａは、事前に記憶部２２に格納されている。そして、式３で求めた推定流量ｑ１と、式１、式２を用いることで、実施例１と同様の方法で歯面損傷時期ＬＨを予測できる。
【００３３】
以上で説明したように、本実施例によれば、流量センサ１０を持たず、圧力センサ１３のみを有する歯車装置１Ｂを監視対象とした場合であっても、歯面損傷時期ＬＨを予測することができる。
【実施例３】
【００３４】
以下、本発明の実施例３の歯車損傷予測装置２０と、その監視対象である歯車装置１Ｃを、図４と図５に沿って説明する。なお、上述の実施例との共通点は、重複説明を省略する。
【００３５】
例えば、船舶用歯車減速機などにおいては、前進と後進を行うため、クラッチ操作によりかみ合う歯車対が変化する。また、自動車用トランスミッションにおいても、ギア比の変更時など、かみ合う歯車対が変化する。そこで、以下では、かみ合う歯車対が変化する歯車装置への本発明の適用例を示す。
【００３６】
図４に示す本実施例の歯車装置１Ｃは、駆動装置（エンジンやモータ等）に接続された入力軸、回転を反対方向にする反転軸、被動装置（プロペラ等）に接続された出力軸、の３つの回転軸を有しており、各々に歯車が取り付けられている。以下では、入力軸に取り付けた歯車を歯車２ａ、反転軸に取り付けた歯車を歯車２ｂ、出力軸に取り付けた歯車を歯車２ｃと称する。
【００３７】
出力軸を正転させる場合は、入力軸の歯車２ａと、出力軸の歯車２ｃをかみ合わせた歯車対が形成され、出力軸の正転を実現する。一方、出力軸を逆転させる場合は、入力軸の回転は、一度、反転軸へと伝達され、反転軸の歯車２ｂを駆動する。そして、反転軸の歯車２ｂと出力軸の歯車２ｃをかみ合せた歯車対が形成され、出力軸の逆転を実現する。なお、逆転時には、クラッチ操作により、歯車２ａから歯車２ｃへの動力の伝達は行われない。
【００３８】
正転時には、給油ノズル８から供給された潤滑油は、歯車２ａと歯車２ｃのかみ合い部から排出される。そこで、その噛み合い部の下流側に設けた油受け１２ａにおける排油温度Ｔ２ａを排油温度センサ１１ａにより計測する。一方、逆転時には、給油ノズル８から供給された潤滑油は、歯車２ｂと歯車２ｃのかみ合い部から排出される。そこで、その噛み合い部の下流側に設けた油受け１２ｂにおける排油温度Ｔ２ｂを排油温度センサ１１ｂにより計測する。これらの排油温度は、歯車損傷予測装置２０へと入力される。
【００３９】
加えて、どの歯車がかみ合っているかを知るためには、運転情報Ｉが必要である。これは、歯車の回転状態がわかる信号ならよい。例えば、クラッチ操作の信号や別途回転計の信号、当該歯車減速機を搭載する装置に対するオペレータからの運転指示情報などが考えられる。
【００４０】
図５は、本実施例の歯車損傷予測装置２０での処理手順を示すフローチャートである。まず、処理Ｓ１にて、入力された運転情報Ｉから、出力軸の回転が正転であるか逆転であるかを判断する。正転であれば、処理Ｓ２ｆに進み、逆転であれば、処理Ｓ２ｒに進む。
【００４１】
正転の場合、処理Ｓ２ｆでは、入力部２１に、給油温度Ｔ１、排油温度Ｔ２ａ、流量ｑが入力される。次に、処理Ｓ３ｆでは、積分演算部２３は、累積摩擦エネルギＥの積分演算を行う。処理Ｓ４ｆでは、比較部２４は、閾値Ｅ０と比較し、歯面損傷時期ＬＨを求める。最後に、処理Ｓ５ｆでは、報知部２５は、この結果をオペレータ等に報知する。
【００４２】
一方、反転の場合は、処理Ｓ２ｒでは、入力部２１に、給油温度Ｔ１、排油温度Ｔ２ｂ、流量ｑが入力される。その後、処理Ｓ３ｒ〜Ｓ５ｒでは、給油温度Ｔ１、排油温度Ｔ２ｂ、流量ｑを用いて、正転時の処理Ｓ３ｆ〜Ｓ５ｆと同様の処理を実行する。
【００４３】
以上で説明した本実施例の歯車損傷予測方法は、歯車数が３よりも多い場合にも適用できる。その場合、かみ合い歯車ごとに給油、排油温度と給油流量、そしてどの歯車がかみ合っているのかを判断する運転情報が必要となる。言い換えると、複数の歯車が同時にかみ合っている場合、それぞれのかみ合いへ供給される潤滑油の情報を個別に入手する必要がある。
【００４４】
以上で説明したように、本実施例によれば、かみ合う歯車対が変化する場合であっても、各歯面の損傷時期を予測できる。これにより、クラッチ操作などを有する、より広い歯車製品に適用することができる。
【実施例４】
【００４５】
以下、本発明の実施例４の歯車損傷予測装置２０と、その監視対象である歯車装置１Ｄを、図６に沿って説明する。なお、上述の実施例との共通点は、重複説明を省略する。
【００４６】
実施例１〜実施例３では、歯車箱３内に排油温度センサ１１等を設けた歯車装置１Ａ〜１Ｃを例示したが、歯車箱３の内部に十分なスペースがなく、かみ合い部のそばに排油温度センサを設置できない歯車装置もある。そこで、本実施例では、油槽４内の排油の温度を計測して歯面の損傷時期を予測できるようにした。
【００４７】
通常、歯車箱３内には、歯車のかみ合い部のみならず、その他の機械要素（例えば、軸受）にも潤滑油が供給されている。実施例１の歯車装置１Ａでは、歯車のかみ合い部や軸受に供給された潤滑油は何れも、歯車箱３の下方に設けた油槽４でまとめて回収されるため、油槽４に溜まった排油の温度は、歯車のかみ合いにより発生した摩擦エネルギによる温度上昇と、軸受での回転軸支持により発生した摩擦エネルギによる温度上昇の双方が反映されたものとなる。すなわち、実施例１の構成を前提とすると、油槽４内の排油の温度を用いても、歯面の損傷時期を正確に予測することはできなかった。
【００４８】
そこで、本実施例では、油槽４の流出管と接続した油槽４ａと油槽４ｂを各軸受の直下に設置することで、各軸受から油槽４ａまたは油槽４ｂに落下した潤滑油を、油槽４を経由せずポンプ６で回収できるようにした。
【００４９】
この結果、本実施例の歯車装置１Ｄの油槽４には、歯車のかみ合い部を経由した潤滑油のみが集められるので、油槽４の油温を排油温度センサ１１ｃで計測することで得られた排油温度Ｔ２は、歯車のかみ合い部における摩擦エネルギにより昇温したものとなるため、排油温度センサ１１ｃが計測した排油温度Ｔ２を用いて、実施例１と同等の方法により、歯面の損傷時期を求める。
【００５０】
以上で説明したように、本実施例によれば、排油温度センサ１１を歯車箱３の内部に設置できない場合でも、歯車装置歯面の損傷時期を予測することができる。
【実施例５】
【００５１】
以下、本発明の実施例５の歯車損傷予測システムを、図７に沿って説明する。なお、上述の実施例との共通点は、重複説明を省略する。
【００５２】
実施例１では、累積摩擦エネルギＥは、歯車損傷予測装置２０の記憶部２２へと保存される。ここに保存された累積摩擦エネルギＥは、歯車装置のメンテナンス時などに、外部のデータ装置と接続されたり、報知部２５などを通じて、運転者やメンテナンス者へと伝えられたりする。
【００５３】
しかし、例えば交通や輸送用機械の歯車装置に本発明を適用する場合、累積摩擦エネルギＥや歯面損傷時期ＬＨを装置ごとに確認することは、稼働装置数の多さから非常に煩雑なものとなる。そこで、本実施例の歯車損傷予測システムでは、複数の歯車装置１Ｅに設けた歯車損傷予測装置２０が求めた累積摩擦エネルギＥや歯面損傷時期ＬＨを、インターネット等のネットワーク経由でサーバに収集できるようにした。
【００５４】
図７は、ネットワーク経由で計測情報等を収集できる歯車装置１Ｅの概念図を示す。
【００５５】
ここに示すように、本実施例では、歯車損傷予測装置２０にて計算された累積摩擦エネルギＥや歯面損傷時期ＬＨを、歯車損傷予測装置２０の外部へと発信する。各装置から発信された情報は、サーバ４０に蓄積されるので、保守員は監視対象の複数の歯車装置１Ｅを集中管理することができる。ネットワーク３０経由で発信される情報は、給油温度や排油温度、給油量といった計測値でもよく、この場合、歯車損傷予測装置２０の内部で行われていた累積摩擦エネルギＥの計算が、サーバ４０にて行われ、歯面の損傷時期が予測される。
【００５６】
以上で説明したように、本実施例によれば、保守員が、より多数の歯車装置１Ｅの損傷予測が可能となる。また、高頻度な歯車装置の情報を得ることにより、歯車装置の状態を精細に把握し、より適切なメンテナンス時期の提案が可能となる。
【００５７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成について、他の構成の追加、削除、置換をすることが可能である。
【符号の説明】
【００５８】
１Ａ〜１Ｅ…歯車装置、
２ａ〜２ｃ…歯車、３…歯車箱、
４、４ａ、４ｂ…油槽、
５…フィルタ、
６…ポンプ、
７…流量調整バルブ、
８…給油ノズル、
９…給油温度センサ、
１０…流量センサ、
１１、１１ａ、１１ｂ、１１ｃ…排油温度センサ、
１２、１２ａ、１２ｂ…油受け、
１３…圧力センサ、
２０…歯車損傷予測装置、
３０…ネットワーク、
４０…サーバ
【図１】
2020200892.tif 000006
【図２】
2020200892.tif 000007
【図３】
2020200892.tif 000008
【図４】
2020200892.tif 000009
【図５】
2020200892.tif 000010
【図６】
2020200892.tif 000011
【図７】
2020200892.tif 000012